(57)【要約】      （修正有）【課題】側面部の高さは変えずに、上側面部を設けこれの高さを調整することで自由な高さ空間と高い位置での持ち手を設けることが可能であり、持ち手が不要になれば切り離し、ディスプレイ用としても使用できる紙製容器を提供する。【解決手段】上側面部を設けることにより側面部高さを変えずに箱の高さを変えることが可能になり、天面に持ち手を固定できるためそのままの形状で持ち運びが可能になった。また、持ち運んだ後にディスプレイ用として使用するために切り取り線を上側面に設けることで従来よりも切り取りが容易になり、しかも内容物をより見やすくすることが可能になった。【選択図】図５
0003119030.tif 000002
【実用新案登録請求の範囲】
【請求項１】
平面の１枚の紙を打ち抜きし、底面の前後左右に位置する側面と連結した角面を斜めに二等分する罫線を入れ、これを折り曲げると同時に側面を起こし、二等分された角面を外側又は内側から左右側面方向に倒したときに出来る隙間に左右の上側面部の先端部を差し込み、二重罫線間の開口部を突き通し天面部を高い位置で固定し、様々な高さ空間を設けることができる紙製容器。
【請求項２】
前後上側面と連結する天面部に持ち手を設け、左右の上側面の上部でこれを固定することにより、上部空間を維持したまま高い位置での持ち手を可能にした請求項１記載の紙製容器。
【請求項３】
すべての上側面部に切取り線を設け、上側面部を切り離すことができる請求項１及び請求項２記載の紙製容器。
【考案の詳細な説明】
【技術分野】
【０００１】  この考案は、持ち手のある紙製容器の形状に関する。
【背景技術】
【０００２】従来、キャリー式の箱は側面と連結した天面部に持ち手を付けることは知られていた。
【考案の開示】
【考案が解決しようとする課題】
【０００３】  しかしながら、以上の技術によれば、内容物の高さによって側面部の高さを調整する必要があった。そこで、この考案は側面部の高さは変えずに、上側面部を設けこれの高さを調整することで自由な高さ空間と高い位置での持ち手を設けることが可能であり、持ち手が不要になれば切り離し、ディスプレイ用としても使用できる紙製容器を提供することを課題とする。
【課題を解決するための手段】
【０００４】  以上の課題を解決するために、第１考案は、組み立て式の構造で上側面部を設けた事により側面部の高さを変えずに高さ空間を調整することができる紙製容器である。  第２考案は、側面部の高さを変えずに持ち手の高さを変えることができる紙製容器である。第３考案は、持ち運んだ後に不要な部分を切り離すことによりディスプレイ用としても利用することができる紙製容器である。
【考案の効果】
【０００５】  第１考案によれば、内容物の高さに対して上側面部のみを調整することにより側面部の高さを変える必要がなく、また上側面部はそれぞれ独立した面なので形状が限定されずその形状によって内容物を見えるようにしたり、隠すことも出来る。また、この形状は容器部分が液体の漏れない形式となり、耐水性を考慮した紙素材を使用すれば、植物などの水を併用する用途にも使用可能である。本考案は１枚の材料から成り立っており、製造、製品管理も容易となった。第２考案は、天面部に持ち手を設けることにより、箱の内部空間を維持したまま持ち運びが手軽にできる。第３考案は、箱上部の内部空間としての機能が不要になれば上側面部を切り離すことにより内容物がよく見え、又取り出しやすくなり、器として、ディスプレイ用として使用することが出来る。
【考案を実施するための最良の形態】
【０００６】  本考案の一実施形態を、図１の展開図から図５の組み立て完成図に示す。
【実施例】
【０００７】  以下本考案の一実施例を図面に基づいて説明すると、紙製容器図１はブランク状態の展開図で、ａの底面壁の左右及び前後に側面壁ｂ．ｃ、四隅部にコーナー壁ｄを夫々連設し、またコーナー壁ｄ部分の中間に対角線状に対角罫線３が設けられている。左右側面壁ｂと押さえ側面壁ｅとの間に二重罫線５と開口部６を設け、押さえ側面壁ｅと連結した左右上側面壁ｇを設ける。さらに前後側面壁ｃと連結した前後上側面壁ｆに天面ｈと持ち手ｉを連結する。【０００８】  本考案の段ボール紙製容器は、罫線部分を折って容器に組み立てることで請求事項１〜３を成すものである。【０００９】  そこで、容器に組み立てるにはコーナー壁ｄの中間にある対角罫線３を谷折り又は山折りにしてコーナー壁ｄの面同志を合わせるように折り込むと、折り込むコーナー壁ｄに連設する左右側面壁ｂ、前後側面壁ｃを底面壁ａが底になるようにｂ、ｃ面の四方壁が自動的に斜め罫線２と共に起き上がり、容器の形態をなしてくる。【００１０】  次に、図２は対角罫線３をすべて谷折りにした場合を示す。先に合わせたコーナー壁ｄを合わせたままコーナー壁ｄの面が左右側面壁ｂの外面に接するように内側に折りたたむ。そこに、二重罫線５を山折りにして押さえ側面壁ｅを折りたたんだコーナー壁ｄに接するように合わせる。また、対角罫線３をすべて山折りにした場合はコーナー壁ｄの面が左右側面壁ｂの内面に接するように内側に折りたたむ。そこに、二重罫線５を谷折りにして押さえ側面壁ｅを折りたたんだコーナー壁ｄに接するように合わせる。【００１１】  次に、図３、図４は対角罫線３をすべて谷折りにした場合を示す。左右上側面壁ｇの罫線を山折りに折りながら先端部分を、前もって合わせてあるコーナー壁ｄと左右側面壁ｂの隙間に差し込むように挿入して開口部６を通り抜けさせる。また、対角罫線３をすべて山折りにした場合は左右上側面壁ｇの罫線を谷折りに折りながら先端部分を、前もって合わせてあるコーナー壁ｄと左右側面壁ｂの隙間に差し込むように挿入して開口部６を通り抜けさせる。【００１２】  次に、図５、図６に示すように左右上側面壁ｇにより天面ｈ及び持ち手ｉを固定することにより本考案の紙製容器はすべての部分で組み立てられた箇所が固定され容器としての機能が成される。【００１３】  切り取り線４から前後左右の上側面壁及び天面、持ち手を切り取ることにより内容物が見え易いディスプレイ容器となる。また、上記実施例記載の中で対角罫線３をすべて谷折りにすることで図５．対角罫線３をすべて山折りにすることで図６のように器部分の外観が異なる２種の紙製容器に変化する。
【産業上の利用可能性】
【００１４】  本考案は、紙ベースの主素材を使用することで、使用後はリサイクルとして再生紙の原料として再生可能である。
【図面の簡単な説明】
【００１５】
【図１】  本考案に係る紙製容器の展開図
【図２】  本考案に係る組み立て中間の斜視図。
【図３】  本考案に係る組み立て中間の拡大図
【図４】  本考案に係る組み立て完成の一つ前の斜視図
【図５】  本考案に係る組み立て完成の斜視図１
【図６】  本考案に係る組み立て完成の斜視図２
【符号の説明】
【００１６】ａ  底面壁
ｂ  左右側面壁
ｃ  前後側面壁
ｄ  コーナー壁
ｅ  押さえ側面壁
ｆ  前後上側面壁
ｇ  左右上側面壁
ｈ  天面壁
ｉ  持ち手
１  底面折罫線
２  斜め罫線
３  対角罫線
４  切り取り線
５  二重罫線
６  開口部
【図１】
0003119030.tif 000003
【図２】
0003119030.tif 000004
【図３】
0003119030.tif 000005
【図４】
0003119030.tif 000006
【図５】
0003119030.tif 000007
【図６】
0003119030.tif 000008